(57)【要約】【課題】琥珀の価値を損なわずに封入物を琥珀に封入できる封入物入り琥珀の製造方法、封入物入り琥珀、封入物入り琥珀を含む位牌、封入物琥珀を含む装身具及び封入物入り琥珀を含む絵画を提供すること。【解決手段】加熱した孔形成工具１２を琥珀２に刺して抜くことにより、封入物３，４を封入するための埋め込み孔２１を琥珀２に形成した後、埋め込み孔２１に封入物３，４を入れ、その後、加熱した融解工具２０の熱によって埋め込み孔２１の内壁を融解させ、琥珀樹脂を埋め込み孔２１に充填し、琥珀樹脂を冷却する。【選択図】図３
2011120673.tif 000002
【特許請求の範囲】
【請求項１】
封入物入り琥珀の製造方法において、
加熱した孔形成工具を琥珀に刺して抜くことにより、１又は２以上の封入物を封入するための埋め込み孔を前記琥珀に形成する孔形成工程と、
前記埋め込み孔に前記封入物を入れる封入物投入工程と、
加熱した融解工具の熱によって前記埋め込み孔の内壁を融解させ、琥珀樹脂を前記埋め込み孔に充填する琥珀樹脂充填工程と、
前記埋め込み孔に充填した前記琥珀樹脂を冷却する冷却工程と、
を有することを特徴とする封入物入り琥珀の製造方法。
【請求項２】
請求項１に記載する封入物入り琥珀の製造方法において、
前記孔形成工程は、前記琥珀の表面から前記封入物を配置する位置まで前記孔形成工具を前記琥珀に刺す間、前記孔形成工具を加熱し、その後、前記孔形成工具を定位置に配置した状態で前記孔形成工具の加熱を停止して前記琥珀を固化させてから、前記孔形成工具を前記琥珀から抜く
ことを特徴とする封入物入り琥珀の製造方法。
【請求項３】
請求項１又は請求項２に記載する封入物入り琥珀の製造方法において、
前記孔形成工程では、前記孔形成工具の温度を、前記琥珀が軟化し始める軟化開始温度に維持するように制御している
ことを特徴とする封入物入り琥珀の製造方法。
【請求項４】
請求項１乃至請求項３の何れか１つに記載する封入物入り琥珀の製造方法において、
前記琥珀樹脂充填工程では、前記融解工具の温度を前記琥珀の融点に維持しながら、前記融解工具を前記埋め込み孔内で移動させる
ことを特徴とする封入物入り琥珀の製造方法。
【請求項５】
請求項１乃至請求項４の何れか１つに記載する封入物入り琥珀の製造方法において、
前記封入物は、ＤＮＡを乾燥させて粉末化したＤＮＡ粉末である
ことを特徴とする封入物入り琥珀の製造方法。
【請求項６】
請求項５に記載する封入物入り琥珀の製造方法において、
前記ＤＮＡ粉末が金箔で包まれている
ことを特徴とする封入物入り琥珀の製造方法。
【請求項７】
請求項１乃至請求項４の何れか１つに記載する封入物入り琥珀の製造方法において、
前記封入物は、個人情報を記憶した非接触式ＩＣタグである
ことを特徴とする封入物入り琥珀の製造方法。
【請求項８】
加熱された孔形成工具を琥珀に刺して形成された埋め込み孔に１又は２以上の封入物を入れ、前記埋め込み孔の内壁を加熱された融解工具で融解させて琥珀樹脂を前記埋め込み孔に充填し、前記琥珀樹脂を冷却することにより、前記封入物を前記琥珀に封入したものであって、前記埋め込み孔の痕跡がない
ことを特徴とする封入物入り琥珀。
【請求項９】
請求項８に記載する封入物入り琥珀において、
前記封入物は、ＤＮＡを乾燥させて粉末化したＤＮＡ粉末である
ことを特徴とする封入物入り琥珀。
【請求項１０】
請求項９に記載する封入物入り琥珀において、
前記ＤＮＡ粉末が金箔で包まれている
ことを特徴とする封入物入り琥珀。
【請求項１１】
請求項８乃至請求項１０の何れか１つに記載する封入物入り琥珀において、
前記封入物は、個人情報を記憶した非接触式ＩＣタグである
ことを特徴とする封入物入り琥珀。
【請求項１２】
請求項８乃至請求項１１の何れか１つに記載する封入物入り琥珀を有することを特徴とする位牌。
【請求項１３】
請求項８乃至請求項１１の何れか１つに記載する封入物入り琥珀を有することを特徴とする装身具。
【請求項１４】
請求項１乃至請求項１１の何れか１つに記載する封入物入り琥珀がキャンバスに塗布された絵の具に付着されていることを特徴とする絵画。
【発明の詳細な説明】
【技術分野】
【０００１】
本発明は、琥珀に封入物を封入する封入物入り琥珀の製造方法、封入物入り琥珀、封入物入り琥珀を含む位牌及び封入物、琥珀を含む装身具及び封入物入り琥珀を含む絵画に関する。
【背景技術】
【０００２】
琥珀は、数千万年から数億年前の木の樹脂が地中に埋没して化石化したものである。琥珀の特徴として、軽さ、熱による加工のしやすさ、触ったときの温もり等が挙げられる。この特徴を利用して、例えば、琥珀製の軽いメガネが提案されている。このメガネは、琥珀樹脂を２５０℃から３００℃に加熱して融解させ、型に流し込んで板状に冷却し、その後、型から抜いた板状の琥珀樹脂を型枠でくりぬくことにより、メガネ枠が形成されている。メガネ枠には、美感性を良くするために、他の材料が埋め込まれる（例えば特許文献１参照）。また、例えば、琥珀に遺骨を収容した装身具が提案されている。この装身具は、琥珀に円筒孔を穿設して円筒孔の内壁に金箔を貼着し、円筒孔に遺骨を入れてシリコーン樹脂を注入して硬化させることにより、遺骨を琥珀に収容している（例えば特許文献２参照）。
【先行技術文献】
【特許文献】
【０００３】
【特許文献１】特開平７−１７５０２２号公報
【特許文献２】特開２００５−６７０５号公報
【発明の概要】
【発明が解決しようとする課題】
【０００４】
しかしながら、琥珀は、数千万年から数億年もの長い年月をかけて木の樹脂を化石化させたものであり、色合いや内包物などが一つ一つ異なる。特許文献１に記載されるメガネのように、琥珀樹脂全体を融解して他の材料を埋め込むことは、琥珀の年代が崩れ、琥珀が持つ個性や生命の継続性を没却させる。一方、特許文献２に記載される装身具では、琥珀が透明又は半透明であると、円筒孔が琥珀の外から丸見えになり、琥珀の意匠性を害する。
【０００５】
本発明は、上記問題点を解決するためになされたものであり、琥珀の価値を損なわずに封入物を琥珀に封入できる封入物入り琥珀の製造方法、封入物入り琥珀、封入物入り琥珀を含む位牌、封入物入り琥珀を含む装身具及び封入物入り琥珀を含む絵画を提供することを目的とする。
【課題を解決するための手段】
【０００６】
上記課題を解決するために、本発明の一態様に係る封入物入り琥珀の製造方法は、封入物入り琥珀の製造方法において、加熱した孔形成工具を琥珀に刺して抜くことにより、１又は２以上の封入物を封入するための埋め込み孔を前記琥珀に形成する孔形成工程と、前記埋め込み孔に前記封入物を入れる封入物投入工程と、加熱した融解工具の熱によって前記埋め込み孔の内壁を融解させ、琥珀樹脂を前記埋め込み孔に充填する琥珀樹脂充填工程と、前記埋め込み孔に充填した前記琥珀樹脂を冷却する冷却工程と、を有する。
【０００７】
また、上記構成において、前記孔形成工程は、前記琥珀の表面から前記封入物を配置する位置まで前記孔形成工具を前記琥珀に刺す間、前記孔形成工具を加熱し、その後、前記孔形成工具を定位置に配置した状態で前記孔形成工具の加熱を停止して前記琥珀を固化させてから、前記孔形成工具を前記琥珀から抜くことが好ましい。
【０００８】
また、上記構成において、前記孔形成工程では、前記孔形成工具の温度を、前記琥珀が軟化し始める軟化開始温度に維持するように制御していることが好ましい。
【０００９】
また、上記構成において、前記琥珀樹脂充填工程では、前記融解工具の温度を前記琥珀の融点に維持しながら、前記融解工具を前記埋め込み孔内で移動させることが好ましい。
【００１０】
また、上記構成において、前記封入物は、ＤＮＡを乾燥させて粉末化したＤＮＡ粉末であることが好ましい。
また、上記構成において、前記ＤＮＡ粉末が金箔で包まれていることが好ましい。
また、上記構成において、前記封入物は、個人情報を記憶した非接触式ＩＣタグであることが好ましい。
【００１１】
本発明の一態様に係る封入物入り琥珀は、加熱された孔形成工具を琥珀に刺して形成された埋め込み孔に１又は２以上の封入物を入れ、前記埋め込み孔の内壁を加熱された融解工具で融解させて琥珀樹脂を前記埋め込み孔に充填し、前記琥珀樹脂を冷却することにより、前記封入物を前記琥珀に封入したものであって、前記埋め込み孔の痕跡がない。
上記構成において、前記封入物は、ＤＮＡを乾燥させて粉末化したＤＮＡ粉末であることが好ましい。
上記構成において、前記ＤＮＡ粉末が金箔で包まれていることが好ましい。
上記構成において、前記封入物は、個人情報を記憶した非接触式ＩＣタグであることが好ましい。
【００１２】
本発明の一態様に係る位牌は、上記封入物入り琥珀を有する。
本発明の一態様に係る装身具は、上記封入物入り琥珀を有する。
本発明の一態様に係る絵画は、上記封入物入り琥珀がキャンバスに塗布された絵の具に付着されている。
【発明の効果】
【００１３】
上記態様の封入物入り琥珀の製造方法では、加熱した孔形成工具を琥珀に刺して抜くことにより埋め込み孔を形成し、形成した埋め込み孔に１又は２以上の封入物を入れた後、加熱した融解工具の熱で埋め込み孔の内壁を融解させて琥珀樹脂を埋め込み孔に充填し、琥珀樹脂に封入物を内包させ、その後、琥珀樹脂を冷却して固化させることにより、封入物入り琥珀を製造する。このようにして製造された封入物入り琥珀は、琥珀が有機原石であるため、孔形成工具と融解工具に加熱された部分と加熱されなかった部分との間に肉眼で確認されるような境界（加工痕）が残らず、封入物があたかも琥珀の産出当初からあったかのように琥珀に封入される。また、琥珀は、埋め込み孔以外の部分が融解されないため、年代が崩れず、個性や生命の継続性が損なわれない。よって、上記態様の封入物入り琥珀の製造方法及び封入物入り琥珀では、琥珀の価値を損なわずに封入物を琥珀に封入できる。
【００１４】
上記構成の封入物入り琥珀の製造方法では、琥珀の表面から封入物を配置する位置まで孔形成工具を琥珀に刺す間、孔形成工具を加熱するため、琥珀が、孔形成工具から熱伝達されて軟らかくなった部分に孔形成工具を低摩擦で差し込むことができる。封入物を配置する位置まで琥珀に差し込まれた孔形成工具は、そのまま定位置に配置されて加熱を停止され、表面温度が徐々に低下する。これに伴って、琥珀は、孔形成工具から伝達される熱量が減少し、軟らかくされた部分が固化していく。琥珀が固化したら、孔形成工具を琥珀から抜く。この場合、孔形成工具に琥珀がくっつかず、琥珀には、孔形成工具と同じ形状の埋め込み孔が形成される。よって、上記構成の封入物入り琥珀の製造方法によれば、熱を利用して埋め込み孔を形成するため、琥珀の年代や成分構造を損なわずに、内壁の滑らかな所望形状の埋め込み孔を琥珀に形成することができ、琥珀樹脂を充填する場合に気泡が琥珀内に発生したり、琥珀樹脂の固化後に琥珀の埋め込み孔の内壁に相当する部分に不自然な傷が残ることがない。
【００１５】
上記構成の封入物入り琥珀の製造方法では、孔形成工具の温度を、琥珀が軟化し始める軟化開始温度に維持するので、孔形成工具の加熱を停止した後に、琥珀の孔形成工具に加熱されて軟らかくなった部分が短時間で固化し、埋め込み孔形成時間を短くできる。
【００１６】
上記構成の封入物入り琥珀の製造方法では、融解工具の温度を琥珀の融点に維持しながら、融解工具を埋め込み孔内で移動させるので、琥珀樹脂の充填時に琥珀樹脂が蒸発しない。よって、上記構成の封入物入り琥珀の製造方法によれば、埋め込み孔形成時に押し退けられた琥珀を溶かした琥珀樹脂を埋め込み孔に再充填し、琥珀の外形形状を殆ど変えずに封入物を琥珀に封入することができる。
【００１７】
上記構成の封入物入り琥珀の製造方法及び封入物入り琥珀では、ＤＮＡを乾燥粉末化したＤＮＡ粉末を琥珀に封入している。ＤＮＡ粉末は、乾燥されて水分含有量が少ないため、琥珀に封入された後に腐敗しにくい。琥珀は、通常見られる化石と異なり、数千万年から数億年前の生物のＤＮＡを保存しており、近年、琥珀中の生物からＤＮＡを取り出して分析することが行われている。よって、上記構成の封入物入り琥珀の製造方法及び封入物入り琥珀のように、ＤＮＡ粉末を琥珀に封入すれば、当該ＤＮＡ粉末を長期保存して分析することが可能である。
【００１８】
上記構成の封入物入り琥珀の製造方法及び封入物入り琥珀は、琥珀樹脂が付着しにくい金箔でＤＮＡ粉末を包んでいるので、琥珀を融解させれば、ＤＮＡ粉末を繰り返し琥珀に出し入れできる。
【００１９】
上記構成の封入物入り琥珀の製造方法及び封入物入り琥珀では、個人情報を記憶するＩＣタグを琥珀に封入するので、非接触式ＩＣタグのデータ読み取り装置に封入物入り琥珀をかざせば、ＩＣタグに記憶された個人情報を読み取って確認できる。
【００２０】
上記態様の位牌又は装身具は、腐敗を防止されたＤＮＡ粉末又は個人情報を記憶するＩＣタグを有するので、何年経っても位牌又は装身具を個人に正確に結びつけることができる。
また、上記態様の絵画は、琥珀に封入された封入物が琥珀によって絵の具の水分と隔離されているため劣化しない。
【図面の簡単な説明】
【００２１】
【図１】本発明の実施形態に係る封入物入り琥珀の外観図である。
【図２】ＤＮＡ内包体の製造方法を説明する図である。
【図３】加熱装置の概略構成図である。
【図４】封入物入り琥珀の製造方法を説明するための図であって、特に、孔形成工程において孔形成工具を琥珀に刺す動作を説明する図である。図中ドットハッチング部は、琥珀の軟化部分を示す。
【図５】封入物入り琥珀の製造方法を説明するための図であって、特に、孔形成工程において封入物を配置する位置まで刺した孔形成工具の加熱を停止した状態を示す図である。
【図６】封入物入り琥珀の製造方法を説明するための図であって、特に、孔形成工程において孔形成工具を琥珀から抜く動作を説明する図である。
【図７】封入物入り琥珀の製造方法を説明するための図であって、封入物投入工程において封入物を入れる動作を説明する図である。
【図８】封入物入り琥珀の製造方法を説明するための図であって、特に、琥珀樹脂充填工程において融解工具を埋め込み孔に挿入する動作を説明する図である。
【図９】封入物入り琥珀の製造方法を説明するための図であって、特に、琥珀樹脂充填工程において融解工具の動作を説明する図である。
【図１０】封入物入り琥珀の製造方法を説明するための図であって、特に、琥珀樹脂充填工程における琥珀樹脂の流れを説明する図である。図中ドットハッチング部は、琥珀樹脂を示す。
【図１１】封入物入り琥珀の製造方法を説明するための図であって、特に、琥珀樹脂充填工程において融解工具を琥珀から抜く直前の状態を示す図である。図中ドットハッチング部は、琥珀樹脂を示す。
【図１２】封入物入り琥珀の製造方法を説明するための図であって、冷却工程を示す。図中点線は、埋め込み孔の形状を便宜的に示すものである。
【図１３】封入物入り琥珀を含む位牌の一例を示す外観図である。
【図１４】封入物入り琥珀を含む装身具の一例を示す外観図である。
【発明を実施するための形態】
【００２２】
以下に、本発明の一実施形態について、図面を参照しながら説明する。
＜封入物入り琥珀について＞
図１は、本実施形態に係る封入物入り琥珀１の外観図である。図２は、ＤＮＡ内包体４の製造方法を説明する図である。
図１に示すように、封入物入り琥珀１は、天然の琥珀２に、非接触式ＩＣタグ３とＤＮＡ内包体４（封入物の一例）が内包されている。
【００２３】
ＩＣタグ３には、メッセージや映像など個人情報が記憶されている。ＩＣタグ３は、封入物入り琥珀１がデータ読み取り装置にかざされると、データ読み取り装置と無線通信してデータ読み取り装置に個人情報を読み取られる。また、ＩＣタグ３は、封入物入り琥珀１がデータ書き込み手段にかざされると、データ書き込み手段と無線通信してデータ書き込み手段にデータを書き込まれる。
【００２４】
一方、図２に示すように、ＤＮＡ内包体４は、ＤＮＡ粉末６を薄い金箔５（例えば、厚さが１０００分の３ｍｍ）に包んだものである。ＤＮＡ粉末６は、例えば、キアゲン社製造の装置によって作られる。ＤＮＡ粉末６は、細胞の核以外を溶かす溶液に毛髪（粘膜や体液等でも良い）を入れて溶かし、その溶液を遠心分離器にかけることにより核を細胞の他の部分から分離し、その後、分離した核を乾燥させて粉末状にしたものである。このように製造されたＤＮＡ粉末６は、水分含有量が４％以下にされ、腐敗や変質を発生しにくくされている。金箔５は、ＤＮＡ粉末６を挟むように折り畳まれている。金箔５は、銀などと比べて酸化しにくい性質を有し、ＤＮＡ粉末６の腐敗や変質を防止するのに適している。また、金箔５は、融解した琥珀樹脂がからみついて付着しないという性質を有し、ＤＮＡ内包体４を琥珀２に繰り返し出し入れできるようにする。
【００２５】
＜加熱装置の構成＞
図３は、加熱装置１１の概略構成図である。
上記のような封入物入り琥珀１の製造には、図３に示す加熱装置１１が用いられる。加熱装置１１は、ヒータ部１３に孔形成工具１２と融解工具２０（図９〜図１１参照）を交換して取り付けられるようになっている。図３に示すように、孔形成工具１２は、図示しない駆動部により、図示しない作業台に置かれた琥珀２に対して上下動される。一方、図８及び図９に示すように、融解工具２０は、図示しない駆動部により、図示しない作業台に置かれた琥珀２に対して上下動させ、更に上昇時に回動される。
【００２６】
孔形成工具１２は、琥珀２に抜き差しし易いように円錐形状をなす。一方、図９〜図１１に示す融解工具２０は、孔形成工具１２より細い形状で設けられている。図３に示すように、コントローラ１４は、配線１８を介して電源に接続され、ヒータ部１３に取り付けられた孔形成工具１２（又は融解工具２０）の温度を設定温度に維持するための制御信号をヒータ部１３に出力する。孔形成工具１２と融解工具２０の設定温度は、コントローラ１４の加熱温度設定部１５に入力される。加熱装置１１は、琥珀２に埋め込み孔２１を形成するための孔形成モード設定スイッチ１６と、琥珀樹脂２５を埋め込み孔２１に充填するための琥珀樹脂充填モード設定スイッチ１７とを有する。コントローラ１４は、加熱装置１１の動作状態を表示部１９に表示する。
【００２７】
＜琥珀の性質＞
従来より知られているように、琥珀には熱に弱い性質がある。琥珀が加熱されて軟化する軟化開始温度や、琥珀が固体から液体に変化し始める融点、琥珀が揮発し始める揮発温度は、原産地の違い等により巾があるものの、一般的に、軟化開始温度は約１３０℃以上１８０℃以下、融点は２２０℃以上２５０℃以下、揮発温度は３００℃以上とされている。天然琥珀は、軟化開始温度（１３０℃以上１８０℃以下）又は融点（２２０℃以上２５０℃以下）に加熱した針を刺して抜いた場合に、琥珀樹脂が針につかない。一方、例えば、まだ琥珀化していないコーパルや、フェノール樹脂、プラスチックなどの天然琥珀の偽物は、天然琥珀の軟化開始温度や融点に加熱した針を刺して抜くと、材料が針に付着したり、材料が焦げ付いたりする。これは、これらの偽物が、天然琥珀より、軟化開始温度と融点が低いためである。
【００２８】
＜封入物入り琥珀の製造方法＞
次に、封入物入り琥珀の製造方法を、図４乃至図１２を参照しながら説明する。
本実施形態の封入物入り琥珀の製造方法は、例えば、顧客が選んだ琥珀２に、顧客が希望する封入物を封入する場合に用いられる。本実施形態の封入物入り琥珀の製造方法は、上述した琥珀の性質を利用して、加工痕を残さずに顧客が希望する封入物（ここでは、ＩＣタグ３とＤＮＡ内包体４）を琥珀２に封入し、封入物入り琥珀１を製造する。
【００２９】
上述したように、天然琥珀の軟化開始温度と融点には巾がある。そこで、作業者は、加工対象となる琥珀２の軟化開始温度と融点を事前に調査しておく。また、作業者は、顧客から毛髪を貰ってＤＮＡ粉末６を生成して金箔５で包み、ＤＮＡ内包体４を作っておく。ＩＣタグ３には、琥珀２に封入される前に予め顧客の個人情報（例えば、顧客の映像、メッセージ、遺言等）を記憶させておいても良いし、琥珀２に封入された後にデータ書き込み装置に封入物入り琥珀１をかざして顧客の個人情報を記憶させても良い。
【００３０】
上記のように軟化開始温度及び融点の調査とＩＣタグ３及びＤＮＡ内包体４の準備が完了したら、作業者は、図３に示す加熱装置１１を用いて琥珀２に封入物を封入する。具体的には、作業者は、調査した軟化開始温度（例えば１３０℃）を加熱温度設定部１５に入力し、孔形成モード設定スイッチ１６を押下する。コントローラ１４は、ヒータ部１３に孔形成工具１２を琥珀２の軟化開始温度（１３０℃）に加熱するための制御信号を出力し、孔形成工具１２を予熱する。
【００３１】
コントローラ１４は、孔形成工具１２の予熱を完了すると、図示しない駆動部により孔形成工具１２を琥珀２へ向かって下降させ、琥珀２の表面に押し付ける。すると、図４に示すように、琥珀２は、孔形成工具１２から熱伝達される部分が軟化し、孔形成工具１２の先端部が徐々に琥珀２の軟化部分２４に押し込まれていく。このとき、図４の図中矢印に示すように、孔形成工具１２に押し退けられた軟化した琥珀が、蒸発せずに、孔形成工具１２の周りから琥珀２の表面に押し出される。
【００３２】
図５に示すように、コントローラ１４は、孔形成工具１２を所定量（例えば封入物を配置する位置まで）琥珀２に刺すと、孔形成工具１２の下降を停止させ、ヒータ部１３に孔形成工具１２を加熱する制御信号を出力しなくなる。孔形成工具１２は、琥珀２に挿入されたまま表面温度が下がり、琥珀２の軟化部分２４を冷却して固化させる。
【００３３】
琥珀２の軟化部分２４が固化するために必要な所定時間が経過すると、コントローラ１４は、図６に示すように、図示しない駆動部により孔形成工具１２を上昇させる。上述した琥珀の性質より、孔形成工具１２は、琥珀２が付着することなく、スムーズに琥珀２から引き抜かれる。よって、琥珀２には、孔形成工具１２と同じ形状の埋め込み孔２１が形成され、その埋め込み孔２１の内壁には、引っ掛かれたり毛羽だったような傷が残されない。また、琥珀２は、埋め込み孔２１の開口部外周に沿って、孔形成工具１２に押し退けられた琥珀が盛り上がって突起２２を形成している。尚、本実施形態では、埋め込み孔２１は、ＩＣタグ３とＤＮＡ内包体４を入れられるように、例えば開口部内径Ｗが１ｍｍ以上２ｍｍ以下で、深さＤが５ｍｍ以上１０ｍｍ以下に形成される。
【００３４】
埋め込み孔２１が形成されたら、作業者は、図７に示すように、操作棒２３によりＩＣタグ３とＤＮＡ内包体４を摘み、琥珀２の埋め込み孔２１に入れる。このとき、琥珀２の外からの見栄えの良いように、ＩＣタグ３とＤＮＡ内包体４を配置することが好ましい。尚、封入物投入作業は、加熱装置１１に設けた操作棒２３により自動的に行っても良い。
【００３５】
そして、作業者は、ヒータ部１３の孔形成工具１２を融解工具２０に交換した後、事前に調査した琥珀２の融点を加熱温度設定部１５に入力し、その後、琥珀樹脂充填モード設定スイッチ１７を押下する。すると、コントローラ１４は、融解工具２０を琥珀２の融点に加熱する制御信号をヒータ部１３に出力する。コントローラ１４は、融解工具２０の予熱が完了すると、図８に示すように、図示しない駆動部に融解工具２０を下降させて、融解工具２０の先端部を埋め込み孔２１の底部付近まで移動させる。
【００３６】
そして、コントローラ１４は、図９に示すように、図示しない駆動部に、埋め込み孔２１の内壁をなぞるように融解工具２０を回動させながら融解工具２０を少しずつ上昇させる。このとき、図１０及び図１１に示すように、埋め込み孔２１の内壁が、２２０℃に加熱された融解工具２０から熱伝達されて融解し、液化した琥珀樹脂２５が埋め込み孔２１の底部から徐々に溜まって固化していく。これにより、ＩＣタグ３とＤＮＡ内包体４が琥珀樹脂２５に包まれ、外気と遮断される。そして、図１１に示すように、埋め込み孔２１の開口部に残っていた突起２２も、融解工具２０に加熱されて融解し、埋め込み孔２１に流れ込むため、琥珀２の表面に突起２２がなくなる。この琥珀樹脂充填工程では、融解工具２０の温度が琥珀２の融点に維持されているため、融解した琥珀樹脂２５は蒸発せずに埋め込み孔２１に充填される。よって、琥珀２は、琥珀２の表面と面一になるように琥珀樹脂２５が埋め込み孔２１に充填され、表面に目立った凹凸が発生しない。
【００３７】
図１２に示すように、琥珀２は、埋め込み孔２１に充填された琥珀樹脂２５が空気に冷却されて自然に固化し、封入物入り琥珀１が完成する。封入物入り琥珀１は、埋め込み孔２１の内壁が滑らかに形成されていたため、琥珀樹脂２５を埋め込み孔２１に充填する場合に琥珀樹脂２５に気泡が巻き込まれず、琥珀２内に不自然な気泡が発生していない。しかも、埋め込み孔２１の内壁を融解した琥珀樹脂２５を埋め込み孔２１に充填するため、封入物の封入前後で琥珀２の成分構造が変わらず、琥珀２の加熱された部分と加熱されなかった部分との境界を肉眼で殆ど判別できない。よって、封入物入り琥珀１は、ＩＣタグ３とＤＮＡ内包体４が、あたかも最初から琥珀２の中にあったかのように琥珀２に封入され、自然の産物である琥珀２の意匠的価値が損なわれていない。
【００３８】
＜封入物の取り出し方法＞
ＩＣタグ３とＤＮＡ内包体４は封入物入り琥珀１からいつでも取り出すことができる。具体的には、加熱装置１１に融解工具２０を取り付け、当該琥珀２の融点（例えば２２０℃以上２５０℃以下）に融解工具２０を加熱する。そして、加熱した融解工具２０を琥珀２の表面に押し当て、ＩＣタグ３とＤＮＡ内包体４へ向かって琥珀２を少しずつ融解させていく。ＩＣタグ３とＤＮＡ内包体４の周りまで琥珀２を融解させたら、融解工具２０を琥珀樹脂２５から抜き、琥珀樹脂２５が固化する前に操作棒２３を琥珀樹脂２５に入れてＩＣタグ３とＤＮＡ内包体４を取り出す。取り出されたＤＮＡ内包体４は、金箔５に琥珀樹脂２５が付着しないため、金箔５を広げてＤＮＡ粉末６を取り出すことができる。ＤＮＡ粉末６は、琥珀２により外気との接触を断たれ、しかも水分含有量が４％以下にされ、更に金箔５により酸化を防がれていたため、腐敗や変質をしておらず、再現性が良い。また、封入物入り琥珀１から取り出されたＤＮＡ内包体４は、金箔５を広げて新たなＤＮＡ粉末を既存のＤＮＡ粉末６に混ぜ、金箔５で包み直すことが可能である。ＩＣタグ３とＤＮＡ内包体４を琥珀２に再封入する場合には、上述した封入物入り琥珀の製造方法と同様に行えばよい。
【００３９】
＜封入物入り琥珀の使用例＞
上記のように製造された封入物入り琥珀１は、図１３に示す位牌３１、図１４に示すペンダント４１などに取り付けられて、使用される。
例えば、生前戒名を取得した者（位牌製造依頼者）は、自分のＤＮＡ粉末６を包んだＤＮＡ内包体４と、自分の個人情報（生前写真、遺言などのメッセージ文、音声等）を記憶したＩＣタグ３を天然の琥珀２に封入した封入物入り琥珀１を、図１３に示すように、位牌３１に設けた琥珀収納スペース３２に収納して蓋３３をする。位牌製造依頼者が死亡した場合、封入物入り琥珀１を位牌３１から取り出し、データ読み取り装置でＩＣタグ３のデータを読み取れば、近親者は遺言等を確認できる。この場合に、例えば、遺言の信憑性がない場合には、ＩＣタグ３と一緒に封入されたＤＮＡ内包体４を封入物入り琥珀１から取り出し、ＤＮＡ粉末６を用いてＤＮＡ鑑定を行い、琥珀２に封入されたＤＮＡが死亡者のＤＮＡと一致するか否か確認すれば、遺言が本物であるかどうかを確認できる。尚、このような封入物入り琥珀１は、同一のＤＮＡと個人情報を含むものを複数作り、墓石や複数の位牌３１に収納しても良い。
【００４０】
また例えば、図１４に示すように、封入物入り琥珀１をチェーン４３付きの基台４２に固定し、ペンダント４１（装身具の一例）にする。赤ちゃんのＤＮＡ粉末６を包んだＤＮＡ内包体４や、両親等の歓びのメッセージ、両親等から赤ちゃんへの希望のメッセージ、命名の由来等の情報をＩＣタグ３に記憶させて琥珀２に封入すれば、赤ちゃんの誕生祝いとし、その赤ちゃんが成人したとき等にメッセージ等を確認させることができる。尚、封入物入り琥珀１は、ペンダント４１に限らず、ブレスレットやペンダントヘッド、時計など他の種類の装身具に適用しても良い。
【００４１】
また例えば、封入物入り琥珀１から夫のＤＮＡ粉末６入りＤＮＡ内包体４を取り出し、妻のＤＮＡ粉末６をＤＮＡ内包体４に追加し、ＤＮＡ内包体４を琥珀２に再封入したものを、結婚記念品としても良い。
【００４２】
また例えば、絵の作者のＤＮＡ粉末６を包んだＤＮＡ内包体４を琥珀２に封入し、その封入物入り琥珀１を絵の具に混ぜてキャンバスに塗ったり、絵の額縁に埋め込んでも良い。この場合、後年、絵画から封入物入り琥珀１を取り出してＤＮＡ粉末６を用いてＤＮＡ鑑定を行えば、その絵が本物であるか否かを鑑定するのに役立つ。
【００４３】
＜作用効果＞
上記態様の封入物入り琥珀の製造方法では、加熱した孔形成工具１２を琥珀２に刺して抜くことにより埋め込み孔２１を形成し、形成した埋め込み孔２１にＩＣタグ３とＤＮＡ内包体４を入れた後、加熱した融解工具２０の熱で埋め込み孔２１の内壁を融解させて琥珀樹脂２５を埋め込み孔２１に充填し、琥珀樹脂２５にＩＣタグ３とＤＮＡ内包体４を内包させ、その後、琥珀樹脂２５を冷却して固化させることにより、封入物入り琥珀１を製造する。このようにして製造された封入物入り琥珀１は、琥珀２が有機原石であるため、孔形成工具１２と融解工具２０に加熱された部分と加熱されなかった部分との間に肉眼で確認されるような境界（加工痕）が残らず、ＩＣタグ３とＤＮＡ内包体４があたかも琥珀２の産出当初からあったかのように琥珀２に封入される。また、琥珀２は、埋め込み孔２１以外の部分が融解されないため、年代が崩れず、個性や生命の継続性が損なわれない。よって、上記態様の封入物入り琥珀の製造方法及び封入物入り琥珀１では、琥珀２の価値を損なわずにＩＣタグ３とＤＮＡ内包体４を琥珀２に封入できる。
【００４４】
上記構成の封入物入り琥珀の製造方法では、琥珀２の表面からＩＣタグ３とＤＮＡ内包体４を配置する位置まで孔形成工具１２を琥珀２に刺す間、孔形成工具１２を加熱するため、琥珀２が、孔形成工具１２から熱伝達されて軟らかくなった部分に孔形成工具１２を低摩擦で差し込むことができる。封入物を配置する位置まで琥珀に差し込まれた孔形成工具１２は、そのまま定位置に配置された状態で加熱を停止され、表面温度が徐々に低下する。これに伴って、琥珀２は、孔形成工具１２から伝達される熱量が減少し、軟らかくされた部分が固化していく。琥珀２が固化したら、孔形成工具１２を琥珀２から抜く。この場合、孔形成工具１２に琥珀２がくっつかず、琥珀２には、孔形成工具１２と同じ形状の埋め込み孔２１が形成される。よって、上記構成の封入物入り琥珀の製造方法によれば、熱を利用して埋め込み孔２１を形成するため、琥珀２の年代や成分構造を損なわずに、内壁の滑らかな所望形状の埋め込み孔２１を琥珀２に形成することができ、琥珀樹脂２５を充填する場合に気泡が琥珀２内に発生したり、琥珀樹脂２５の固化後に琥珀２の埋め込み孔２１の内壁に相当する部分に不自然な傷が残ることがない。
【００４５】
封入物入り琥珀１は、全体を溶解して封入物を入れた琥珀や、遺骨等の封入物を入れた孔をシリコーン樹脂で埋めた琥珀とは、全く価値が異なる。琥珀２は、数千万年から数億年もの長い年月をかけて木の樹脂が化石化したものであり、生命の継続性の意味合いが強い宝石である。そのため、琥珀全体の溶解して封入物を入れたものは、琥珀の年代が崩れ、琥珀が何千万年から何億万年の長い間維持してきた生命の継続性が断絶される。また、封入物を入れた孔をシリコーン樹脂で埋めた琥珀は、外から孔の所在が分かり、不自然である。しかも、このような琥珀は、孔形成時に産出当初からあった琥珀が取り除かれ、そこに現代のシリコーン樹脂を封入するため、生命の継続性に傷が付けられた印象を見る者に与える。これに対して、本実施形態の封入物入り琥珀１は、熱により琥珀２に埋め込み孔２１を部分的に形成し、琥珀２を融解した琥珀樹脂２５を埋め込み孔２１に充填するため、琥珀２の生命の継続性が維持され、また、封入物が封入物産出当初からあったかのように自然に琥珀２に封入されて、琥珀２の見た目が封入物封入前後で殆ど変わらず、生命の継続性が傷付けられない。よって、封入物入り琥珀１のように、琥珀２に加工痕を残さずに封入物を琥珀２に封入することは、琥珀本来の価値を維持させる上で、技術的意義が大きい。
【００４６】
しかも、本実施形態の封入物入り琥珀１は、生命の継続性の意味合いが強い琥珀２に傷を残さずにＤＮＡ粉体６を封入している。よって、ＤＮＡ粉末６が入った封入物入り琥珀１は、ＤＮＡ粉体６に吹き込まれた命を琥珀２が持つ生命の継続性に強く結びつけ、封入物入り琥珀１の持ち主に生命の伝承や尊さ、人と人との絆を強く訴えかけることができる。
【００４７】
上記構成の封入物入り琥珀の製造方法では、孔形成工具１２の温度を、琥珀２が軟化し始める軟化開始温度に維持するので、孔形成工具１２の加熱を停止した後に、琥珀２の孔形成工具１２に加熱されて軟らかくなった部分が短時間で固化し、埋め込み孔形成時間を短くできる。
【００４８】
上記構成の封入物入り琥珀の製造方法では、融解工具２０の温度を琥珀２の融点に維持しながら、融解工具２０を埋め込み孔２１内で移動させるので、琥珀樹脂２５の充填時に琥珀樹脂２５が蒸発しない。よって、上記構成の封入物入り琥珀の製造方法によれば、埋め込み孔形成時に押し退けられた琥珀２を溶かした琥珀樹脂２５を埋め込み孔２１に再充填し、琥珀２の外形形状を殆ど変えずにＩＣタグ３とＤＮＡ内包体４を琥珀２に封入することができる。
【００４９】
上記構成の封入物入り琥珀の製造方法及び封入物入り琥珀１では、ＤＮＡを乾燥粉末化したＤＮＡ粉末６を琥珀２に封入している。ＤＮＡ粉末６は、乾燥されて水分含有量が少ないため、琥珀２に封入された後に腐敗しにくい。琥珀は、通常見られる化石と異なり、数千万年から数億年前の生物のＤＮＡを保存しており、近年、琥珀中の生物からＤＮＡを取り出して分析することが行われている。よって、上記構成の封入物入り琥珀の製造方法及び封入物入り琥珀１のように、ＤＮＡ粉末６を琥珀２に封入すれば、当該ＤＮＡ粉末６を長期保存して分析することが可能である。
【００５０】
上記構成の封入物入り琥珀の製造方法及び封入物入り琥珀１は、琥珀樹脂２５が付着しにくい金箔５でＤＮＡ粉末６を包んでいるので、琥珀２を融解させれば、ＤＮＡ粉末６を繰り返し琥珀２に出し入れできる。
【００５１】
上記構成の封入物入り琥珀の製造方法及び封入物入り琥珀１では、個人情報を記憶するＩＣタグ３を琥珀２に封入するので、非接触式ＩＣタグ３のデータ読み取り装置に封入物入り琥珀１をかざせば、ＩＣタグ３に記憶された個人情報を読み取って確認できる。
【００５２】
上記態様の位牌３１又はペンダント４１は、腐敗を防止されたＤＮＡ粉末６又は個人情報を記憶するＩＣタグ３を有するので、何年経っても位牌３１又はペンダント４１を個人に正確に結びつけることができる。
また、上記絵画は、琥珀２に封入されたＩＣタグ３とＤＮＡ内包体４が琥珀２によって絵の具の水分と隔離されているため劣化しない。例えば、絵画のサインを入れる箇所の絵の具にＩＣタグ３を直接埋め込むと、ＩＣタグ３が絵の具の水分で壊れてしまうが、ＩＣタグ３を封入した琥珀１を絵の具に埋め込めば、ＩＣタグ３が絵の具の水分に直接接触せず、壊れない。
【００５３】
＜変形例＞
尚、本発明は、上記実施形態に限定されることなく、色々な応用が可能である。
例えば、上記実施形態では、ＩＣタグ３とＤＮＡ内包体４を琥珀２に封入したが、遺骨などの他の封入物を琥珀２に封入しても良い。また、ＩＣタグ３は、データの読み書き可能なものを使用したが、データを読み取られるだけのものであっても良い。
例えば、上記実施形態では、手動で孔形成工具１２と融解工具２０の加熱温度を設定したが、原産地別に天然琥珀２の軟化開始温度と融点をコントローラ１４に記憶させておき、天然琥珀２の原産地を入力すれば、孔形成工具１２と融解工具２０の加熱温度を自動設定できるようにしても良い。
例えば、上記実施形態では、加熱装置１１が、図示しない駆動部により孔形成工具１２と融解工具２０を自動で上下動させたり回動させて、埋め込み孔２１の形成や琥珀樹脂２５の充填を行った。これに対して、作業者が手作業で孔形成工具１２や融解工具２０を操って、埋め込み孔２１の形成や琥珀樹脂２５の充填を行うようにしても良い。
例えば、上記実施形態では、融解工具２０を埋め込み孔２１より細い形状にしたが、封入物に接触しないように切りかかれた埋め込み孔と同一形状の融解工具を、加熱装置１１に取り付け、埋め込み孔２１の内壁を融解させて琥珀樹脂を埋め込み孔に充填するようにしても良い。この場合の融解工具は、琥珀に対して上下方向へのみ移動すれば良く、動作が単純である。また、琥珀の特性より、琥珀を融解しながら融解工具を琥珀から抜く場合に、琥珀が融解工具にくっつかず、琥珀樹脂を充填された埋め込み孔の痕が肉眼で判別できるほどに残らない。
【符号の説明】
【００５４】
１  封入物入り琥珀
２  琥珀
３  ＩＣタグ（封入物の一例）
４  ＤＮＡ内包体（封入物の一例）
５  金箔
６  ＤＮＡ粉末
１２  孔形成工具
２０  融解工具
２１  埋め込み孔
２４  琥珀樹脂
３１  位牌
４１  ペンダント（装身具の一例）
【図１】
2011120673.tif 000003
【図２】
2011120673.tif 000004
【図３】
2011120673.tif 000005
【図４】
2011120673.tif 000006
【図５】
2011120673.tif 000007
【図６】
2011120673.tif 000008
【図７】
2011120673.tif 000009
【図８】
2011120673.tif 000010
【図９】
2011120673.tif 000011
【図１０】
2011120673.tif 000012
【図１１】
2011120673.tif 000013
【図１２】
2011120673.tif 000014
【図１３】
2011120673.tif 000015
【図１４】
2011120673.tif 000016